(57)【要約】【課題】投票券の購入し過ぎによるギャンブル依存症の発症を防止する。【解決手段】会員情報管理装置は、各会員の、会員識別情報、収支金額、及びサービス券状態に関する情報を含む会員情報を記憶し、会員識別情報及び投票情報を含む第１の電文を外部装置から受信したときに、会員識別情報に対応する会員の会員情報と、投票情報とに基づいて、その会員による投票券購入可否を判定し、当該判定結果に応じた投票券購入可否情報を含む第１の応答電文を外部装置に送信し、上記の会員識別情報及び投票情報を含む第２の電文を外部装置から受信したときに、上記会員の会員情報に含まれる収支金額に関する情報を、投票情報に基づいて更新し、上記会員の会員情報に基づいて、上記会員に対してサービス券を発券するか否かを判定し、当該判定結果に応じたサービス券発券指示情報を含む第２の応答電文を外部装置に送信する。【選択図】図７
2020135454.tif 000002
【特許請求の範囲】
【請求項１】
各会員の、会員識別情報、現在から過去所定期間における収支金額、及びサービス券状態に関する情報を含む会員情報を記憶する会員情報記憶部と、
前記会員情報を更新する更新部と、
電文の送受信を行う通信部と、
投票券購入可否を判定する第１の判定部と、
サービス券を発券するか否かを判定する第２の判定部と、
を備え、
前記通信部が会員識別情報及び投票情報を含む第１の電文を第１の外部装置から受信したときに、前記第１の判定部は、前記会員識別情報に対応する会員の前記会員情報記憶部に記憶された会員情報と、前記投票情報とに基づいて、前記会員による投票券購入可否を判定し、前記通信部は、前記第１の判定部の判定結果に応じた投票券購入可否情報を含む第１の応答電文を前記第１の外部装置に送信し、
前記通信部が前記会員識別情報及び前記投票情報を含む第２の電文を前記第１の外部装置から受信したときに、前記更新部は、前記会員情報記憶部に記憶された前記会員の会員情報に含まれる収支金額に関する情報を、前記投票情報に基づいて更新し、前記第２の判定部は、前記会員情報記憶部に記憶された前記会員の会員情報に基づいて、前記会員に対して前記サービス券を発券するか否かを判定し、前記通信部は、前記第２の判定部の判定結果に応じたサービス券発券指示情報を含む第２の応答電文を前記第１の外部装置に送信する、
ことを特徴とする会員情報管理装置。
【請求項２】
前記更新部は、前記会員情報記憶部に記憶された前記会員の会員情報に含まれるサービス券状態に関する情報を、前記第２の判定部の判定結果に基づいて更新する、
ことを特徴とする請求項１記載の会員情報管理装置。
【請求項３】
前記収支金額は、現在から過去所定期間における投票券購入金額の合計金額から、現在から前記過去所定期間における払戻金額の合計金額を減算した金額であり、
前記サービス券状態に関する情報は、サービス券未発券、サービス券未使用、及びサービス券使用済み、の何れか一つのサービス券状態を示す情報である、
ことを特徴とする請求項１又は２記載の会員情報管理装置。
【請求項４】
前記第１の判定部は、前記会員情報記憶部に記憶された前記会員の会員情報に含まれる前記サービス券状態に関する情報が前記サービス券未使用を示す情報であるか否か、又は、前記会員情報に含まれる情報が示す収支金額と前記投票情報に含まれる情報が示す投票金額とを加算した金額が限度額設定値を超えているか否かに基づいて、前記会員による投票券購入可否を判定する、
ことを特徴とする請求項３記載の会員情報管理装置。
【請求項５】
前記第２の判定部は、前記会員情報記憶部に記憶された前記会員の会員情報に含まれる前記サービス券状態に関する情報が前記サービス券未発券を示す情報であって且つ前記会員情報に含まれる情報が示す収支金額が警告設定値を超えているか否かに基づいて、前記会員に対して前記サービス券を発券するか否かを判定する、
ことを特徴とする請求項３又は４記載の会員情報管理装置。
【請求項６】
前記通信部がレース確定情報を含む第３の電文を第２の外部装置から受信したときに、前記更新部は、前記レース確定情報に基づいて前記会員情報記憶部に記憶された会員情報に含まれる収支金額に関する情報を更新する、
ことを特徴とする請求項１乃至５の何れか一項に記載の会員情報管理装置。
【請求項７】
前記通信部がサービス券を使用した会員の会員識別情報を含む第４の電文を第３の外部装置から受信したときに、前記更新部は、前記第４の電文に含まれる前記会員識別情報に対応する会員の、前記会員情報記憶部に記憶された会員情報に含まれるサービス券状態に関する情報を更新する、
ことを特徴とする請求項１乃至６の何れか一項に記載の会員情報管理装置。
【請求項８】
投票端末及び会員情報管理装置を含む投票システムであって、
前記投票端末は、
会員の会員識別情報を取得する会員識別情報取得部と、
前記会員の投票情報を取得する投票情報取得部と、
電文の送受信を行う通信部と、
投票券の発券及びサービス券の発券を行う発券部と、
を備え、
前記会員情報管理装置は、
各会員の、会員識別情報、現在から過去所定期間における収支金額、及びサービス券状態に関する情報を含む会員情報を記憶する会員情報記憶部と、
前記会員情報を更新する更新部と、
電文の送受信を行う通信部と、
投票券購入可否を判定する第１の判定部と、
サービス券を発券するか否かを判定する第２の判定部と、
を備え、
前記投票端末は、前記会員の会員識別情報及び投票情報を含む第１の電文を前記会員情報管理装置に送信し、
前記会員情報管理装置は、前記第１の電文を受信し、前記会員情報記憶部に記憶された前記会員の会員情報と、前記投票情報とに基づいて、前記会員に対する投票券購入可否を判定し、当該判定結果に応じた投票券購入可否情報を含む第１の応答電文を前記投票端末に送信し、
前記投票端末は、前記第１の応答電文を受信し、前記投票券購入可否情報が投票券購入不可を示す情報である場合は、前記会員による投票券購入を不可とし、前記投票券購入可否情報が投票券購入可を示す情報である場合は、前記会員による投票券購入を可として前記投票券の発券を行い、更に、前記会員識別情報及び前記投票情報を含む第２の電文を前記会員情報管理装置に送信し、
前記会員情報管理装置は、前記第２の電文を受信し、前記会員情報記憶部に記憶された前記会員の会員情報に含まれる収支金額に関する情報を、前記投票情報に基づいて更新し、前記会員情報記憶部に記憶された前記会員の会員情報に基づいて、前記会員に対して前記サービス券を発券するか否かを判定し、当該判定結果に応じたサービス券発券指示情報を含む第２の応答電文を前記投票端末に送信し、
前記投票端末は、前記第２に応答電文を受信し、前記サービス券発券指示情報が前記サービス券の発券を指示する情報である場合は、更に、前記サービス券の発券を行う、
ことを特徴とする投票システム。
【請求項９】
投票サーバを更に含み、
前記投票サーバは、レース確定情報を含む第３の電文を前記会員情報管理装置に送信し、
前記会員情報管理装置は、前記第３の電文を受信し、前記会員情報記憶部に記憶された会員情報に含まれる収支金額に関する情報を前記レース確定情報に基づいて更新する、
ことを特徴とする請求項８記載の投票システム。
【請求項１０】
サービス券処理端末を更に含み、
前記サービス券処理端末は、
サービス券を使用した会員の会員識別情報を取得する会員識別情報取得部と、
電文の送受信を行う通信部と、
を備え、
前記サービス券処理端末は、前記会員識別情報を含む第４の電文を前記会員情報管理装置に送信し、
前記会員情報管理装置は、前記第４の電文を受信し、前記第４の電文に含まれる前記会員識別情報に対応する会員の、前記会員情報記憶部に記憶された会員情報に含まれるサービス券状態に関する情報を更新する、
ことを特徴とする請求項８又は９記載の投票システム。
【発明の詳細な説明】
【技術分野】
【０００１】
本発明は、会員情報管理装置及び投票システムに関する。
【背景技術】
【０００２】
従来、競馬、競輪、競艇、オートレース等の公営競技が行われる公営競技場では、投票端末（トータリゼータ端末ともいう）を利用して投票券を購入することができる。このとき、投票券の購入希望者は、自身の過去の投票に係る収支金額に関わらず、投票券の購入が可能である。そのため、例えば、収支金額の状態が、収入金額（過去の払戻金額の合計金額）よりも支出金額（過去の購入金額の合計金額）の方がはるかに大きい状態であっても、高額な金額にて投票券の購入が可能であるし、そのような購入を繰り返し行うことも可能である。
【０００３】
一方、公営競技の投票を扱うシステムにおいて、投票券の購入金額が一定の金額を超える場合に、その投票券の購入を不可とするような処理を行うシステムが知られている（例えば、特許文献１、２、及び３参照）。
【先行技術文献】
【特許文献】
【０００４】
【特許文献１】特開２０１０−１６０６１２号公報
【特許文献２】特開２００２−１７５３８４号公報
【特許文献３】特開２００２−１２３６４２号公報
【発明の概要】
【発明が解決しようとする課題】
【０００５】
上述のとおり、公営競技場にて投票端末を利用して投票券を購入する場合、購入希望者は、過去の投票に係る収支金額に関わらず、投票券の購入が可能である。そのため、投票券の購入し過ぎによるギャンブル依存症の発症が懸念される。
【０００６】
本発明は、上記実状に鑑み、投票券の購入し過ぎによるギャンブル依存症の発症を防止することができる会員情報管理装置及び投票システムを提供することを目的とする。
【課題を解決するための手段】
【０００７】
装置の一観点は、会員情報管理装置であって、各会員の、会員識別情報、現在から過去所定期間における収支金額、及びサービス券状態に関する情報を含む会員情報を記憶する会員情報記憶部と、前記会員情報を更新する更新部と、電文の送受信を行う通信部と、投票券購入可否を判定する第１の判定部と、サービス券を発券するか否かを判定する第２の判定部と、を備え、前記通信部が会員識別情報及び投票情報を含む第１の電文を第１の外部装置から受信したときに、前記第１の判定部は、前記会員識別情報に対応する会員の前記会員情報記憶部に記憶された会員情報と、前記投票情報とに基づいて、前記会員による投票券購入可否を判定し、前記通信部は、前記第１の判定部の判定結果に応じた投票券購入可否情報を含む第１の応答電文を前記第１の外部装置に送信し、前記通信部が前記会員識別情報及び前記投票情報を含む第２の電文を前記第１の外部装置から受信したときに、前記更新部は、前記会員情報記憶部に記憶された前記会員の会員情報に含まれる収支金額に関する情報を、前記投票情報に基づいて更新し、前記第２の判定部は、前記会員情報記憶部に記憶された前記会員の会員情報に基づいて、前記会員に対して前記サービス券を発券するか否かを判定し、前記通信部は、前記第２の判定部の判定結果に応じたサービス券発券指示情報を含む第２の応答電文を前記第１の外部装置に送信する、ことを特徴とする。
【０００８】
システムの一観点は、投票端末及び会員情報管理装置を含む投票システムであって、前記投票端末は、会員の会員識別情報を取得する会員識別情報取得部と、前記会員の投票情報を取得する投票情報取得部と、電文の送受信を行う通信部と、投票券の発券及びサービス券の発券を行う発券部と、を備え、前記会員情報管理装置は、各会員の、会員識別情報、現在から過去所定期間における収支金額、及びサービス券状態に関する情報を含む会員情報を記憶する会員情報記憶部と、前記会員情報を更新する更新部と、電文の送受信を行う通信部と、投票券購入可否を判定する第１の判定部と、サービス券を発券するか否かを判定する第２の判定部と、を備え、前記投票端末は、前記会員の会員識別情報及び投票情報を含む第１の電文を前記会員情報管理装置に送信し、前記会員情報管理装置は、前記第１の電文を受信し、前記会員情報記憶部に記憶された前記会員の会員情報と、前記投票情報とに基づいて、前記会員に対する投票券購入可否を判定し、当該判定結果に応じた投票券購入可否情報を含む第１の応答電文を前記投票端末に送信し、前記投票端末は、前記第１の応答電文を受信し、前記投票券購入可否情報が投票券購入不可を示す情報である場合は、前記会員による投票券購入を不可とし、前記投票券購入可否情報が投票券購入可を示す情報である場合は、前記会員による投票券購入を可として前記投票券の発券を行い、更に、前記会員識別情報及び前記投票情報を含む第２の電文を前記会員情報管理装置に送信し、前記会員情報管理装置は、前記第２の電文を受信し、前記会員情報記憶部に記憶された前記会員の会員情報に含まれる収支金額に関する情報を、前記投票情報に基づいて更新し、前記会員情報記憶部に記憶された前記会員の会員情報に基づいて、前記会員に対して前記サービス券を発券するか否かを判定し、当該判定結果に応じたサービス券発券指示情報を含む第２の応答電文を前記投票端末に送信し、前記投票端末は、前記第２に応答電文を受信し、前記サービス券発券指示情報が前記サービス券の発券を指示する情報である場合は、更に、前記サービス券の発券を行う、ことを特徴とする。
【発明の効果】
【０００９】
開示の装置及びシステムは、投票券の購入し過ぎによるギャンブル依存症の発症を防止することができる、という効果を奏する。
【図面の簡単な説明】
【００１０】
【図１】一実施の形態に係る投票システムの構成を例示する図である。
【図２】一実施の形態に係る投票端末の外観構成を例示する図である。
【図３】一実施の形態に係る投票端末のハードウェア構成を例示する図である。
【図４】一実施の形態に係る会員情報管理サーバのハードウェア構成を例示する図である。
【図５】一実施の形態に係るサービス券処理端末のハードウェア構成を例示する図である。
【図６】一実施の形態に係る投票端末の機能ブロックを例示する図である。
【図７】一実施の形態に係る会員情報管理サーバの機能ブロックを例示する図である。
【図８】会員情報記憶部に記憶された各会員の会員情報を例示する図である。
【図９】会員情報記憶部に記憶された会員１人分の購入履歴情報を例示する図である。
【図１０】一実施の形態に係るサービス券処理端末の機能ブロックを例示する図である。
【図１１】一実施の形態に係る投票システムにおいて実行される投票券購入時の処理（その１）を例示するシーケンス図である。
【図１２】一実施の形態に係る投票システムにおいて実行されるレース確定時の処理を例示するシーケンス図である。
【図１３】一実施の形態に係る投票システムにおいて実行される投票券購入時の処理（その２）を例示するシーケンス図である。
【図１４】一実施の形態に係る投票システムにおいて実行される投票券購入時の処理（その３）を例示するシーケンス図である。
【図１５】一実施の形態に係る投票システムにおいて実行されるサービス券使用時の処理を例示するシーケンス図である。
【図１６】一実施の形態に係る投票システムにおいて実行される投票券購入時の処理（その４）を例示するシーケンス図である。
【図１７】電文Ａ、応答電文Ｂ、及び電文Ｃを例示する図である。
【図１８】応答電文Ｄ、電文Ｅ、及び応答電文Ｆを例示する図である。
【図１９】電文Ｇを例示する図である。
【図２０】応答電文Ｈ、電文Ｉ、及び応答電文Ｊを例示する図である。
【図２１Ａ】一実施の形態に係る投票端末において実行される処理を例示するフローチャート（その１）である。
【図２１Ｂ】一実施の形態に係る投票端末において実行される処理を例示するフローチャート（その２）である。
【図２２】アイドル画面を例示する図である。
【図２３】現金投入画面を例示する図である。
【図２４】投票カード投入画面を例示する図である。
【図２５】サービス券未使用時の画面を例示する図である。
【図２６】限度額オーバー時の画面を例示する図である。
【図２７】投票終了画面を例示する図である。
【図２８Ａ】一実施の形態に係る会員情報管理サーバにおいて実行される処理を例示するフローチャート（その１）である。
【図２８Ｂ】一実施の形態に係る会員情報管理サーバにおいて実行される処理を例示するフローチャート（その２）である。
【図２９】一実施の形態に係るサービス券処理端末において実行される処理を例示するフローチャートである。
【図３０】一実施の形態に係る投票サーバにおいて実行される処理を例示するフローチャートである。
【図３１】会員の収支金額に応じて投票券の購入が制限されるケースを例示する図である。
【発明を実施するための形態】
【００１１】
以下、図面を参照しながら本発明の実施の形態について説明する。
図１は、一実施の形態に係る投票システムの構成を例示する図である。
【００１２】
図１に例示した投票システム１は、所謂トータリゼータシステムであって、複数の投票端末２、投票サーバ３、会員情報管理サーバ（会員情報管理装置の一例）４、及び複数のサービス券処理端末５を備える。
【００１３】
各投票端末２、投票サーバ３、会員情報管理サーバ４、及び各サービス券処理端末５は、ネットワーク６に接続されている。これにより、各投票端末２、投票サーバ３、会員情報管理サーバ４、及び各サービス券処理端末５は、互いにネットワーク６を介して通信（電文の送受信等）が可能である。
【００１４】
各投票端末２は、公営競技場内に設置されている。各サービス券処理端末５は、公営競技場内の店舗に設置されている。サービス券処理端末５が設置される店舗は、顧客をリフレッシュさせるようなサービスを提供する店舗（以下、「サービス提供店舗」という）であって、例えば、レストランや喫茶店等の飲食店である。
【００１５】
投票端末２は、所謂トータリゼータ端末であって、投票券の発売及び払戻を行う。また、投票端末２は、サービス券の発券も行う。サービス券は、サービス提供店舗にて使用可能な商品券（無料食事券等）や割引券等である。サービス券は、詳細は後述するように、会員が投票券を購入する時に、会員の収支金額が警告設定値を超えた場合に発券されるものであって、一旦、サービス券が発券された後は、そのサービス券がサービス提供店舗にて使用されるまで、その会員は投票券の購入ができなくなる。
【００１６】
投票サーバ３は、所謂ホストコンピュータであって、各投票端末２が行う投票券の発売や払戻を管理する。また、投票サーバ３は、オッズや配当金の計算及びレース確定情報の提供等も行う。
【００１７】
会員情報管理サーバ４は、各会員の会員情報を管理する。
サービス券処理端末５は、会員により使用されたサービス券を処理する端末である。
ネットワーク６は、ＷＡＮ（Wide Area Network）やインターネット等である。
【００１８】
図２は、一実施の形態に係る投票端末の外観構成を例示する図である。
図２に例示した投票端末２は、運用状況表示窓２０１、投票券投入排出口２０２、投票券／サービス券排出口２０３、投票カード投入排出口２０４、紙幣投入排出口２０５、硬貨投入口２０６、硬貨排出口２０７、ディスプレイ２０８、タッチパネル２０９、及び会員カード投入排出口２１０を備える。
【００１９】
運用状況表示窓２０１は、投票端末２において、投票券の発券受付中であるか発券停止中であるか、及び、投票券の払戻受付中であるか払戻停止中であるかを表示する。
【００２０】
投票券投入排出口２０２は、払い戻しをする投票券が投入される投入口であると共に、投入された投票券が返却される排出口である。投票券の返却は、例えば、投票券が不的中投票券であった場合等に行われる。
【００２１】
投票券／サービス券排出口２０３は、発券された投票券の排出口であり、また、発券されたサービス券の排出口でもある。
【００２２】
投票カード投入排出口２０４は、投票カード（マークカードともいう）が投入される投入口であると共に、投入された投票カードが返却される排出口である。投票カードの返却は、例えば、投票カードの記入ミス（マークミス）等により投票内容を読み取れなかった場合等に行われる。
【００２３】
紙幣投入排出口２０５は、紙幣の投入口であり、また、返却する紙幣又は釣札とする紙幣の排出口でもある。硬貨投入口２０６は、硬貨の投入口である。硬貨排出口２０７は、返却する硬貨又は釣銭とする硬貨の排出口である。
【００２４】
ディスプレイ２０８は、タッチパネル２０９の下層に配置されており、操作案内、レース案内、投票カードの投票内容等の情報を表示する。ディスプレイ２０８は、例えば液晶ディスプレイである。
【００２５】
タッチパネル２０９は、透過型のタッチパネルであり、各種の入力や投票内容の修正等の際に操作される。ディスプレイ２０８により表示された情報は、タッチパネル２０９を透過して、ユーザ（投票券の購入希望者等）から視認可能である。ユーザは、ディスプレイ２０８により表示された情報を見ながら、タッチパネル２０９に対するタッチ操作を行うことができる。
【００２６】
会員カード投入排出口２１０は、会員カードが投入される投入口であると共に、投入された会員カードが返却される排出口である。
【００２７】
なお、図２に例示した投票端末２において、投票券投入排出口２０２と投票券／サービス券排出口２０３を一体構成としてもよい。また、硬貨投入口２０６と硬貨排出口２０７を一体構成としてもよい。また、投票券投入排出口２０２を、投票券投入口と投票券排出口のように別体構成としてもよい。また、投票カード投入排出口２０４を、投票カード投入口と投票カード排出口のように、別体構成としてもよい。また、紙幣投入排出口２０５を、紙幣投入口と紙幣排出口のように、別体構成としてもよい。
【００２８】
図３は、一実施の形態に係る投票端末のハードウェア構成を例示する図である。
図３に例示した投票端末２は、制御部２２１、ディスプレイ２０８、タッチパネル２０９、紙幣処理ユニット２２２、硬貨処理ユニット２２３、投票カード読取ユニット２２４、投票券／サービス券発券ユニット２２５、払戻投票券読取ユニット２２６、及び会員カード読取ユニット２２７を備える。
【００２９】
制御部２２１は、プロセッサ２３１、ＲＡＭ（Random Access Memory）２３２、記憶装置２３３、通信インタフェース２３４、グラフィック処理部２３５、及び入出力インタフェース２３６を備え、各々がバス２３７を介して接続されている。
【００３０】
プロセッサ２３１は、ＣＰＵ（Central Processing Unit）等であって、ＯＳ（Operating System）のプログラムやアプリケーションプログラム（後述の投票端末２が行う処理を実行させるプログラムを含む）を実行することにより、投票端末２の動作を制御する。ＲＡＭ２３２は、プロセッサ２３１により実行されるＯＳのプログラムやアプリケーションプログラムの少なくとも一部を一時的に格納する。また、ＲＡＭ２３２は、プロセッサ２３１による処理に必要な各種データを格納する。記憶装置２３３は、ＨＤＤ（Hard Disk Drive）等であって、プロセッサ２３１により実行されるＯＳのプログラムやアプリケーションプログラムを格納する。
【００３１】
通信インタフェース２３４は、ネットワーク６に接続され、外部装置との間で電文の送受信等を行う。
【００３２】
なお、プロセッサ２３１により実行されるＯＳのプログラムやアプリケーションプログラムは、図示しない外部装置から、ネットワーク６及び通信インタフェース２３４を介して、例えばＲＡＭ２３２に格納されて、プロセッサ２３１により実行されてもよい。或いは、投票端末２が、可搬記録媒体に対する情報の書込み及び読出しを行う可搬記録媒体インタフェースを備えて、プロセッサ２３１により実行されるＯＳのプログラムやアプリケーションプログラムが可搬記録媒体から可搬記録媒体インタフェースを介して、例えばＲＡＭ２３２に格納されて、プロセッサ２３１により実行されてもよい。
【００３３】
グラフィック処理部２３５には、ディスプレイ２０８が接続されている。グラフィック処理部２３５は、プロセッサ２３１の制御の下に、各種の情報をディスプレイ２０８に表示させる。
【００３４】
入出力インタフェース２３６には、タッチパネル２０９、紙幣処理ユニット２２２、硬貨処理ユニット２２３、投票カード読取ユニット２２４、投票券／サービス券発券ユニット２２５、払戻投票券読取ユニット２２６、及び会員カード読取ユニット２２７が接続されている。入出力インタフェース２３６は、タッチパネル２０９、紙幣処理ユニット２２２、硬貨処理ユニット２２３、投票カード読取ユニット２２４、投票券／サービス券発券ユニット２２５、払戻投票券読取ユニット２２６、及び会員カード読取ユニット２２７から送られてくる信号を、バス２３７を介してプロセッサ２３１に送信する。また、入出力インタフェース２３６は、プロセッサ２３１からバス２３７を介して送られてくる制御信号を、対応するユニット（タッチパネル２０９、紙幣処理ユニット２２２、硬貨処理ユニット２２３、投票カード読取ユニット２２４、投票券／サービス券発券ユニット２２５、払戻投票券読取ユニット２２６、又は会員カード読取ユニット２２７）へ送信する。
【００３５】
紙幣処理ユニット２２２は、紙幣の受け入れ、紙幣の真贋の鑑別、紙幣の収納、紙幣の返却、釣札の排出を行う。硬貨処理ユニット２２３は、硬貨の受け入れ、硬貨の真贋の鑑別、硬貨の収納、硬貨の返却、釣銭の排出を行う。
【００３６】
投票カード読取ユニット２２４は、投票カードを受け入れて投票カードの内容（投票内容等）を読み取る。この読み取りは、投票カード読取ユニット２２４が備える例えばイメージスキャナを用いて行われる。
【００３７】
投票券／サービス券発券ユニット２２５は、投票内容を印刷媒体に印刷して投票券として発券する。投票内容は、例えば、投票カード読取ユニット２２４による投票カードの読取結果に基づくものである。また、投票券／サービス券発券ユニット２２５は、サービス券の内容及び会員識別情報を印刷媒体に印刷してサービス券として発券する。サービス券の内容は、サービス提供店舗にて使用可能な商品券（無料食事券等）や割引券等に関する内容である。会員識別情報は、例えば、バーコードとして印刷媒体に印刷される。なお、投票券の発券に使用される印刷媒体とサービス券の発券に使用される印刷媒体は、同じものである。
【００３８】
払戻投票券読取ユニット２２６は、払い戻しをする投票券を受け入れて投票券の内容（投票内容や券種等）を読み取る。この読み取りは、払戻投票券読取ユニット２２６が備える例えばイメージスキャナを用いて行われる。
【００３９】
会員カード読取ユニット２２７は、会員カードを受け入れて、会員カードから情報（会員識別情報を含む）を読み取る。この読み取りは、会員カードの磁気ストライプ部やＩＣチップ部に記録されている情報を読み取る形式でもよいし、会員カードに記されたバーコードの情報を読み取る形式でもよい。前者の場合の読み取りは例えばカードリーダを用いて行われ、後者の場合の読み取りは例えばバーコードリーダを用いて行われる。
【００４０】
図４は、一実施の形態に係る会員情報管理サーバのハードウェア構成を例示する図である。
図４に例示した会員情報管理サーバ４は、プロセッサ４０１、メモリ４０２、入力装置４０３、出力装置４０４、記憶装置４０５、可搬記録媒体４０８が収納される可搬記録媒体駆動装置（可搬記録媒体インタフェースでもある）４０６、及び通信インタフェース４０７を備え、これらはバス４０９を介して互いに接続されている。
【００４１】
プロセッサ４０１は、例えばＣＰＵ等であって、ＯＳのプログラムやアプリケーションプログラム（後述の会員情報管理サーバ４が行う処理を実行させるプログラムを含む）を実行することにより、会員情報管理サーバ４の動作を制御する。メモリ４０２は、ＲＡＭ及びＲＯＭ（Read Only Memory）である。ＲＡＭは、プロセッサ４０１により実行されるＯＳのプログラムやアプリケーションプログラムの少なくとも一部を一時的に格納する。また、ＲＡＭは、プロセッサ４０１による処理に必要な各種データを格納する。ＲＯＭは、プロセッサ４０１により実行されるＯＳのプログラムやアプリケーションプログラム等を格納する。
【００４２】
入力装置４０３は、タッチパネル、キーボード、マウス等である。出力装置４０４は、表示装置等である。
【００４３】
記憶装置４０５は、ＨＤＤ等であって、後述する会員情報や購入履歴情報等が格納される。また、記憶装置４０５は、プロセッサ４０１により実行されるＯＳのプログラムやアプリケーションプログラム等が格納されてもよい。
【００４４】
可搬記録媒体駆動装置４０６は、可搬記録媒体４０８を駆動し、その記録内容にアクセスする。可搬記録媒体４０８も記憶装置４０５と同様に、プロセッサ４０１により実行されるＯＳのプログラムやアプリケーションプログラム等が格納されてもよい。可搬記録媒体４０８は、メモリデバイス、フレキシブルディスク、光ディスク、光磁気ディスク等であり、ＣＤ−ＲＯＭ（Compact Disc Read Only Memory）、ＤＶＤ（Digital Versatile Disc）、ＵＳＢ（Universal Serial Bus）メモリ等も含まれる。
【００４５】
通信インタフェース４０７は、図４には示していないネットワーク６に接続され、外部装置との間で電文の送受信等を行う。
【００４６】
なお、プロセッサ４０１により実行されるＯＳのプログラムやアプリケーションプログラムは、外部装置から、ネットワーク６及び通信インタフェース４０７を介して、例えばメモリ４０２のＲＡＭに格納されて、プロセッサ４０１により実行されてもよい。
【００４７】
図５は、一実施の形態に係るサービス券処理端末のハードウェア構成を例示する図である。
図５に例示したサービス券処理端末５は、制御部５０１、入出力デバイス５０２、及びサービス券読取ユニット５０３を備える。
【００４８】
制御部５０１は、プロセッサ５１１、ＲＡＭ５１２、記憶装置５１３、通信インタフェース５１４、及び入出力インタフェース５１５を備え、各々がバス５１６を介して接続されている。
【００４９】
プロセッサ５１１は、ＣＰＵ等であって、ＯＳのプログラムやアプリケーションプログラム（後述のサービス券処理端末５が行う処理を実行させるプログラムを含む）を実行することにより、サービス券処理端末５の動作を制御する。ＲＡＭ５１２は、プロセッサ５１１により実行されるＯＳのプログラムやアプリケーションプログラムの少なくとも一部を一時的に格納する。また、ＲＡＭ５１２は、プロセッサ５１１による処理に必要な各種データを格納する。記憶装置５１３は、ＨＤＤ等であって、プロセッサ５１１により実行されるＯＳのプログラムやアプリケーションプログラムを格納する。
【００５０】
通信インタフェース５１４は、ネットワーク６に接続され、外部装置との間で電文の送受信等を行う。
【００５１】
なお、プロセッサ５１１により実行されるＯＳのプログラムやアプリケーションプログラムは、図示しない外部装置から、ネットワーク６及び通信インタフェース５１４を介して、例えばＲＡＭ５１２に格納されて、プロセッサ５１１により実行されてもよい。或いは、サービス券処理端末５が、可搬記録媒体に対する情報の書込み及び読出しを行う可搬記録媒体インタフェースを備えて、プロセッサ５１１により実行されるＯＳのプログラムやアプリケーションプログラムが可搬記録媒体から可搬記録媒体インタフェースを介して、例えばＲＡＭ５１２に格納されて、プロセッサ５１１により実行されてもよい。
【００５２】
入出力インタフェース５１５には、入出力デバイス５０２及びサービス券読取ユニット５０３が接続されている。入出力インタフェース５１５は、入出力デバイス５０２及びサービス券読取ユニット５０３から送られてくる信号を、バス５１６を介してプロセッサ５１１に送信する。また、入出力インタフェース５１５は、プロセッサ５１１からバス５１６を介して送られてくる制御信号を、対応するユニット（入出力デバイス５０２又はサービス券読取ユニット５０３）へ送信する。
【００５３】
入出力デバイス５０２は、タッチパネル、キーボード、マウス等の入力デバイスと、表示装置等の出力デバイスである。
【００５４】
サービス券読取ユニット５０３は、サービス券に印刷された会員識別情報を読み取る。この読み取りは、例えば、サービス券に印刷された、会員識別情報を表すバーコードを読み取ることによって行われる。この場合、バーコードの読み取りは、サービス券読取ユニット５０３が備える例えばバーコードリーダを用いて行われる。
【００５５】
投票サーバ３のハードウェア構成については図を用いて例示しないが、例えば、図４に例示した会員情報管理サーバ４のハードウェア構成と同様のハードウェア構成により実現することができる。
【００５６】
図６は、一実施の形態に係る投票端末の機能ブロックを例示する図である。
図６に例示した投票端末２は、投票端末２の全体動作を制御する制御部２４１と、会員の会員識別情報を取得する会員識別情報取得部２４２と、会員の投票情報を取得する投票情報取得部２４３と、電文の送受信を行う通信部２４４と、投票券の発券及びサービス券の発券を行う発券部２４５を備える。
【００５７】
図６に例示した投票端末２では、例えば、次のような処理が行われる。
通信部２４４は、会員識別情報取得部２４２及び投票情報取得部２４３により取得された会員の会員識別情報及び投票情報を含む第１の電文を会員情報管理サーバ４に送信し、上記会員に対する投票券購入可否情報を含む第１の応答電文を会員情報管理サーバ４から受信する。
【００５８】
ここで、投票券購入可否情報が投票券購入不可を示す情報である場合は、上記会員による投票券購入を不可とする。
【００５９】
一方、投票券購入可否情報が投票券購入可を示す情報である場合は、上記会員による投票券購入を可として発券部２４５が投票券の発券を行い、通信部２４４が更に上記会員識別情報及び上記投票情報を含む第２の電文を会員情報管理サーバ４に送信し、上記会員に対するサービス券発券指示情報を含む第２の応答電文を会員情報管理サーバ４から受信する。
【００６０】
ここで、サービス券発券指示情報がサービス券の発券を指示する情報である場合は、発券部２４５が更にサービス券の発券を行う。
【００６１】
一方、サービス券発券指示情報がサービス券の発券を指示しない情報である場合は、発券部２４５はサービス券の発券を行わない。
【００６２】
なお、図６に例示した投票端末２における制御部２４１、会員識別情報取得部２４２、投票情報取得部２４３、通信部２４４、及び発券部２４５は、例えば、図３に例示した投票端末２におけるプロセッサ２３１、会員カード読取ユニット２２７、投票カード読取ユニット２２４、通信インタフェース２３４、及び投票券／サービス券発券ユニット２２５に対応する。
【００６３】
図７は、一実施の形態に係る会員情報管理サーバの機能ブロックを例示する図である。
図７に例示した会員情報管理サーバ４は、会員情報管理サーバ４の全体動作を制御する制御部４１１と、各会員の会員情報や購入履歴情報を記憶する会員情報記憶部４１２と、電文の送受信を行う通信部４１３を備える。
【００６４】
会員情報は、会員識別情報、現在から過去所定期間（例えば過去３０日）における収支金額、及びサービス券状態に関する情報を含む。ここで、収支金額は、例えば、現在から過去所定期間における投票券購入金額の合計金額から、現在から過去所定期間における払戻金額の合計金額を減算した金額である。この場合は、収支金額が高額になるほど、損失が大きいことを示すことになる。サービス券状態に関する情報は、例えば、サービス券未発券、サービス券未使用、及びサービス券使用済み、の何れか一つのサービス券状態を示す情報である。
【００６５】
制御部４１１は、会員情報を更新する更新部４１４と、投票券購入可否を判定する第１の判定部４１５と、サービス券を発券するか否かを判定する第２の判定部４１６を備える。
【００６６】
図７に例示した会員情報管理サーバ４では、例えば、次のような処理が行われる。
通信部４１３が会員識別情報及び投票情報を含む第１の電文を投票端末２から受信したときは、第１の判定部４１５が、上記会員識別情報に対応する会員の会員情報記憶部４１２に記憶された会員情報と、上記投票情報とに基づいて、上記会員に対する投票券購入可否を判定し、通信部４１３は、第１の判定部４１５の判定結果に応じた投票券購入可否情報を含む第１の応答電文を投票端末２に送信する。
【００６７】
通信部４１３が上記会員識別情報及び上記投票情報を含む第２の電文を投票端末２から受信したときは、更新部４１４が、会員情報記憶部４１２に記憶された上記会員の会員情報に含まれる収支金額に関する情報を、上記投票情報に基づいて更新し、第２の判定部４１６は、会員情報記憶部４１２に記憶された上記会員の会員情報に含まれる収支金額に関する情報に基づいて、上記会員に対してサービス券を発券するか否かを判定し、通信部４１３は、第２の判定部４１６の判定結果に応じたサービス券発券指示情報を含む第２の応答電文を投票端末２に送信する。
【００６８】
また、更新部４１４は、会員情報記憶部４１２に記憶された上記会員の会員情報に含まれるサービス券状態に関する情報を、第２の判定部４１６の判定結果に基づいて更新する。
【００６９】
第１の判定部４１５は、例えば、会員情報記憶部４１２に記憶された上記会員の会員情報に含まれるサービス券状態に関する情報がサービス券未使用を示す情報であるか否か、又は、上記会員情報に含まれる情報が示す収支金額と上記投票情報に含まれる情報が示す投票金額とを加算した金額が限度額設定値を超えているか否かに基づいて、上記会員に対する投票券購入可否を判定する。
【００７０】
第２の判定部４１６は、例えば、会員情報記憶部４１２に記憶された上記会員の会員情報に含まれるサービス券状態に関する情報がサービス券未発券を示す情報であって且つ上記会員情報に含まれる情報が示す収支金額が警告設定値を超えているか否かに基づいて、上記会員に対してサービス券を発券するか否かを判定する。
【００７１】
なお、警告設定値は、限度額設定値よりも小さい値である。以下では、警告設定値を単に警告値ともいい、限度額設定値を単に限度額ともいう。
【００７２】
通信部４１３がレース確定情報を含む第３の電文を投票サーバ３から受信したときは、更新部４１４が、レース確定情報に基づいて会員情報記憶部４１２に記憶された会員情報に含まれる収支金額に関する情報を更新する。
【００７３】
通信部４１３がサービス券を使用した会員の会員識別情報を含む第４の電文をサービス券処理端末５から受信したときは、更新部４１４が、第４の電文に含まれる会員識別情報に対応する会員の、会員情報記憶部４１２に記憶された会員情報に含まれるサービス券状態に関する情報を更新する。
【００７４】
なお、図７に例示した会員情報管理サーバ４における制御部４１１、会員情報記憶部４１２、及び通信部４１３は、例えば、図４に例示した会員情報管理サーバ４におけるプロセッサ４０１、記憶装置４０５、及び通信インタフェース４０７に対応する。
【００７５】
図８は、会員情報記憶部に記憶された各会員の会員情報を例示する図である。
図８に例示した各会員の会員情報は、会員番号、警告設定値、限定額設定値、収支金額、及びサービス券状態に関する情報を含む。
【００７６】
会員番号は、会員識別情報の一例である。
警告設定値は、第２の判定部４１６が判定を行う際に使用される閾値である。
限度額設定値は、第１の判定部４１５が判定を行う際に使用される閾値である。
【００７７】
収支金額は、上述のとおり、現在から過去所定期間まで（過去所定期間分）の収支金額であり、例えば、過去所定期間分の投票券購入金額の合計金額から、過去所定期間分の払戻金額の合計金額を減算した金額である。過去所定期間分の投票券購入金額の合計金額と、過去所定期間分の払戻金額の合計金額は、例えば、会員情報記憶部４１２に記憶された対応する会員の購入履歴情報に基づいて算出される。
【００７８】
サービス券状態は、上述のとおり、サービス券未発券（「未発券」）、サービス券未使用（「未使用」）、及びサービス券使用済み（「使用済」）、の何れか一つのサービス券状態を示す。なお、「未発券」は、サービス券が発券されていない状態を示す。「未使用」は、サービス券が発券されたが、それが使用されていない状態を示す。「使用済」は、サービス券が発券され、それが使用された状態を示す。
【００７９】
図８に例示した各会員の会員情報によれば、例えば、会員番号が「０００００１」の会員の会員情報は、警告設定値が「１０００００円」、限度額設定値が「１５００００円」、収支金額が「８５０００円」、サービス券状態が「未発券」であることを示している。
【００８０】
なお、図８に例示した各会員の会員情報において、会員番号、警告設定値、及び限定額設定値に関する情報は、会員登録時に登録される。警告設定値及び限度額設定値は、固定値としてもよいし、変動値としてもよい。変動値とする場合は、例えば、会員の購入履歴情報に基づいて値が変動するようにしてもよい。
【００８１】
図９は、会員情報記憶部に記憶された会員１人分の購入履歴情報を例示する図である。
図９に例示した購入履歴情報は、少なくとも過去所定期間分の投票券の購入に係る履歴情報であり、投票券購入毎の、購入日、購入時刻、開催日、場名、レース（レース番号）、方式、式別、組番、購入金額、及び払戻金額に関する情報を含む。
【００８２】
図９に例示した購入履歴情報によれば、例えば、「２０１８／９／３０」の「１１：１０」に購入された投票券は、購入金額が「２０００円」で払戻金額が「０円」であること等を示している。
【００８３】
なお、図９に例示した購入履歴情報において、レース確定前で払戻金額が決まっていない箇所については、空欄で示している。
【００８４】
図１０は、一実施の形態に係るサービス券処理端末の機能ブロックを例示する図である。
図１０に例示したサービス券処理端末５は、サービス券処理端末５の全体動作を制御する制御部５２１と、サービス券を使用した会員の会員識別情報を取得する会員識別情報取得部５２２と、電文の送受信を行う通信部５２３を備える。
【００８５】
図１０に例示したサービス券処理端末５では、例えば、通信部５２３は、会員識別情報取得部５２２により取得された会員識別情報を含む電文を会員情報管理サーバ４に送信する。
【００８６】
なお、図１０に例示したサービス券処理端末５における制御部５２１、会員識別情報取得部５２２、及び通信部５２３は、例えば、図５に例示したサービス券処理端末５におけるプロセッサ５１１、サービス券読取ユニット５０３、及び通信インタフェース５１４に対応する。
【００８７】
投票サーバ３の機能ブロックについては図を用いて例示しないが、例えば、投票サーバ３の全体動作を制御する制御部と、電文の送受信を行う通信部とを備え、投票端末２や会員情報管理サーバ４との間で電文の送受信を行う等の処理を行う。
【００８８】
次に、投票システム１において実行される処理について説明する。
はじめに、図１１乃至２６を用いて処理の概要を説明する。
【００８９】
図１１乃至１６は、一実施の形態に係る投票システムにおいて実行される処理を例示するシーケンス図である。図１７乃至２０は、一実施の形態に係る投票システムにおいて送受信される電文を例示する図である。詳しくは、図１１は、一実施の形態に係る投票システムにおいて実行される投票券購入時の処理（その１）を例示するシーケンス図である。図１２は、一実施の形態に係る投票システムにおいて実行されるレース確定時の処理を例示するシーケンス図である。図１３は、一実施の形態に係る投票システムにおいて実行される投票券購入時の処理（その２）を例示するシーケンス図である。図１４は、一実施の形態に係る投票システムにおいて実行される投票券購入時の処理（その３）を例示するシーケンス図である。図１５は、一実施の形態に係る投票システムにおいて実行されるサービス券使用時の処理を例示するシーケンス図である。図１６は、一実施の形態に係る投票システムにおいて実行される投票券購入時の処理（その４）を例示するシーケンス図である。図１７は、電文Ａ、応答電文Ｂ、及び電文Ｃを例示する図である。図１８は、応答電文Ｄ、電文Ｅ、及び応答電文Ｆを例示する図である。図１９は、電文Ｇを例示する図である。図２０は、応答電文Ｈ、電文Ｉ、及び応答電文Ｊを例示する図である。
【００９０】
図１１に例示した処理では、会員Ａが投票端末２にて投票券を購入する時に、次のような処理が行われる。なお、会員Ａは、会員番号「０００００１」の会員であるとする。また、この処理の開始時においては、会員Ａに対してサービス券が未発券であるとする。
【００９１】
まず投票端末２は、会員Ａが投票可能（投票券購入可能）であるか否かを確認するために投票可否確認に係る電文Ａ（第１の電文の一例）を会員情報管理サーバ４に送信する（Ｓ１１０１）。このときの電文Ａは、図１７に例示したように、会員Ａの会員番号及び投票情報を含む。投票情報は、投票券の購入日時及び投票内容（開催日、場名、レース（レース番号）、方式、式別、組番、金額）に関する情報を含む。ここで、投票内容に含まれる金額は投票金額であり、購入金額でもある。
【００９２】
電文Ａを受信した会員情報管理サーバ４は、電文Ａに含まれる情報と、会員Ａの会員情報及び購入履歴情報とから、会員Ａによる投票券購入可否を判定し、その判定結果に応じた情報を含む応答電文Ｂ（第１の応答電文の一例）を投票端末２に送信する（Ｓ１１０２）。このときの応答電文Ｂは、図１７に例示したように、会員Ａの会員番号と、会員Ａによる投票券購入可否（可／不可）、会員Ａに対するサービス券状態（未発券／未使用／使用済）、及び会員Ａの収支金額状態（警告値以下／警告値オーバー／限度額オーバー）に関する情報を含む。ここでは、投票券購入可否が「可」、サービス券状態が「未発券」、収支金額状態が「警告値以下」であるとする。
【００９３】
応答電文Ｂを受信した投票端末２は、会員Ａによる投票券購入可否が「可」であることから、投票要求に係る電文Ｃを投票サーバ３に送信する（Ｓ１１０３）。このときの電文Ｃは、図１７に例示したように、電文Ａと同様になる。
【００９４】
電文Ｃを受信した投票サーバ３は、会員Ａの投票内容の投票の可否を判定し、その判定結果に応じた情報を含む応答電文Ｄを投票端末２に送信する（Ｓ１１０４）。このときの応答電文Ｄは、図１８に例示したように、会員Ａの会員番号、会員Ａの投票内容の投票可否（可／不可）、及び投票番号に関する情報を含む。なお、投票番号は、投票可否が「可」である場合に含まれ、「不可」である場合は含まれない。ここでは、投票可否が「可」であるとする。
【００９５】
応答電文Ｄを受信した投票端末２は、会員Ａの投票可否が「可」であることから、投票券を発券し（Ｓ１１０５）、投票券の購入情報（投票情報でもある）に係る電文Ｅ（第２の電文の一例）を会員情報管理サーバ４に送信する（Ｓ１１０６）。このときの電文Ｅは、図１８に例示したように、図１７に例示した電文Ａと同様になる。
【００９６】
電文Ｅを受信した会員情報管理サーバ４は、電文Ｅに含まれる情報に基づいて、会員Ａの会員情報及び購入履歴情報を更新し、その後、会員Ａに対してサービス券を発券するか否かを判定し、その判定結果に応じた情報を含む応答電文Ｆ（第２の応答電文の一例）を投票端末２に送信する（Ｓ１１０７）。このときの応答電文Ｆは、図１８に例示したように、会員Ａの会員番号、及びサービス券発券指示（発券しない／発券する）に関する情報を含む。ここでは、サービス券発券指示が「発券しない」であるとする。
【００９７】
応答電文Ｆを受信した投票端末２は、会員Ａに対するサービス券発券指示が「発券しない」であることから、このときは、会員Ａに対するサービス券の発券を行わない。
【００９８】
図１２に例示した処理では、レース確定時に、次のような処理が行われる。
まず投票サーバ３は、レース確定に係る電文Ｇ（第３の電文の一例）を会員情報管理サーバ４に送信する（Ｓ１２０１）。このときの電文Ｇは、図１９に例示したように、レース確定情報を含む。レース確定情報は、確定したレースに関する情報（開催日、場名、レース（レース番号）、式別、組番、及び払戻金額等の情報）である。
【００９９】
電文Ｇを受信した会員情報管理サーバ４は、レース確定情報に基づいて、会員の会員情報及び購入履歴情報を更新する。会員情報の更新では、会員の収支金額の算出が行われる（Ｓ１２０２）。そして、会員情報管理サーバ４は、その更新の処理結果（正常／異常）に関する情報を含む応答電文Ｈを投票サーバ３に送信する（Ｓ１２０３）。このときの応答電文Ｈは、図２０に例示したように、その更新の処理結果（正常／異常）に関する情報を含む。ここでは、処理結果が「正常」であるとする。
【０１００】
応答電文Ｈを受信した投票サーバ３は、処理結果が「正常」であることから、処理が正常に行われたことを認識する。
【０１０１】
図１３に例示した処理では、会員Ａが投票端末２にて投票券を購入する時に、次のような処理が行われる。なお、この処理の開始時においては、会員Ａに対してサービス券が未発券であるとする。
【０１０２】
まず投票端末２は、投票可否確認に係る電文Ａを会員情報管理サーバ４に送信する（Ｓ１３０１）。
【０１０３】
電文Ａを受信した会員情報管理サーバ４は、電文Ａに含まれる情報と、会員Ａの会員情報及び購入履歴情報とから、会員Ａによる投票券購入可否を判定し、その判定結果に応じた情報を含む応答電文Ｂを投票端末２に送信する（Ｓ１３０２）。このときの応答電文Ｂでは、投票券購入可否が「可」、サービス券状態が「未発券」、収支金額状態が「警告値以下」であるとする。
【０１０４】
応答電文Ｂを受信した投票端末２は、会員Ａによる投票券購入可否が「可」であることから、投票要求に係る電文Ｃを投票サーバ３に送信する（Ｓ１３０３）。
【０１０５】
電文Ｃを受信した投票サーバ３は、会員Ａの投票内容の投票の可否を判定し、その判定結果に応じた情報を含む応答電文Ｄを投票端末２に送信する（Ｓ１３０４）。このときの応答電文Ｄでは、投票可否が「可」であるとする。
【０１０６】
応答電文Ｄを受信した投票端末２は、会員Ａの投票可否が「可」であることから、投票券を発券し（Ｓ１３０５）、投票券の購入情報に係る電文Ｅを会員情報管理サーバ４に送信する（Ｓ１３０６）。
【０１０７】
電文Ｅを受信した会員情報管理サーバ４は、電文Ｅに含まれる情報に基づいて、会員Ａの会員情報及び購入履歴情報を更新する。ここでは、会員情報の更新において、会員Ａの収支金額が警告値を超えたために、会員Ａの会員情報に含まれるサービス券状態に関する情報が「未発券」から「未使用」に更新されたとする（Ｓ１３０７）。その後、会員情報管理サーバ４は、会員Ａに対してサービス券を発券するか否かを判定し、その判定結果に応じた情報を含む応答電文Ｆを投票端末２に送信する（Ｓ１３０８）。このときの応答電文Ｆでは、サービス券状態に関する情報が「未発券」から「未使用」に更新されたことから、サービス券発券指示が「発券する」になる。
【０１０８】
応答電文Ｆを受信した投票端末２は、会員Ａに対するサービス券発券指示が「発券する」であることから、会員Ａに対してサービス券を発券する（Ｓ１３０９）。
【０１０９】
図１４に例示した処理では、会員Ａが投票端末２にて投票券を購入する時に、次のような処理が行われる。なお、この処理の開始時においては、会員Ａに対してサービス券が発券されているものの未使用であるとする。
【０１１０】
まず投票端末２は、投票可否確認に係る電文Ａを会員情報管理サーバ４に送信する（Ｓ１４０１）。
【０１１１】
電文Ａを受信した会員情報管理サーバ４は、電文Ａに含まれる情報と、会員Ａの会員情報及び購入履歴情報とから、会員Ａによる投票券購入可否を判定し、その判定結果に応じた情報を含む応答電文Ｂを投票端末２に送信する（Ｓ１４０２）。このときの応答電文Ｂでは、投票券購入可否が「不可」、サービス券状態が「未使用」、収支金額状態が「警告値オーバー」であるとする。
【０１１２】
応答電文Ｂを受信した投票端末２は、会員Ａによる投票券購入可否が「不可」であり、会員Ａに対するサービス券情報が「未使用」であることから、会員Ａによる投票券購入を不可とし、その理由としてサービス券が未使用であることの表示、及び投票カードの返却等を行う（Ｓ１４０３）。このように、サービス券が未使用の場合、会員Ａは投票券の購入ができない。
【０１１３】
図１５に例示した処理では、会員Ａに対して発券されたサービス券がサービス提供店舗にて使用された時に、次のような処理が行われる。
【０１１４】
まず、そのサービス提供店舗に設置されたサービス券処理端末５は、使用されたサービス券から会員Ａの会員番号を読み取り（Ｓ１５０１）、サービス券が使用されたことを通知するサービス券使用通知に係る電文Ｉ（第４の電文の一例）を会員情報管理サーバ４に送信する（Ｓ１５０２）。このときの電文Ｉは、図２０に例示したように、会員Ａの会員番号を含む。
【０１１５】
電文Ｉを受信した会員情報管理サーバ４は、電文Ｉに含まれる会員Ａの会員番号に基づいて、会員Ａの会員情報に含まれるサービス券状態に関する情報を「未使用」から「使用済」に更新する（Ｓ１５０３）。そして、会員情報管理サーバ４は、その更新の処理結果（正常／異常）を含む応答電文Ｊをサービス券処理端末５に送信する（Ｓ１５０４）。このときの応答電文Ｊは、図２０に例示したように、会員Ａの会員番号と処理結果（正常／異常）に関する情報を含む。ここでは、処理結果が「正常」であるとする。
【０１１６】
応答電文Ｊを受信したサービス券処理端末５は、処理結果が「正常」であることから、処理が正常に行われたことを認識する。
【０１１７】
図１６に例示した処理では、会員Ａが投票端末２にて投票券を購入する時に、次のような処理が行われる。なお、この処理の開始時においては、会員Ａに対して発券されたサービス券が使用済みであるとする。
【０１１８】
まず投票端末２は、投票可否確認に係る電文Ａを会員情報管理サーバ４に送信する（Ｓ１６０１）。
【０１１９】
電文Ａを受信した会員情報管理サーバ４は、電文Ａに含まれる情報と、会員Ａの会員情報及び購入履歴情報とから、会員Ａに対する投票券購入可否を判定し、その判定結果に応じた情報を含む応答電文Ｂを投票端末２に送信する（Ｓ１６０２）。このときの応答電文Ｂでは、投票券購入可否が「不可」、サービス券状態が「使用済」、収支金額状態が「限度額オーバー」であるとする。
【０１２０】
応答電文Ｂを受信した投票端末２は、会員Ａに対する投票券購入可否が「不可」であり、会員Ａの収支金額状態が「限度額オーバー」であることから、会員Ａに対する投票券購入を不可とし、その理由として収支金額が限度額を超えたことの表示、及び投票カードの返却等を行う（Ｓ１６０３）。このように、収支金額が限度額を超えている場合、会員Ａは投票券の購入ができない。
【０１２１】
次に、図２１乃至３１を用いて、投票端末２、会員情報管理サーバ４、サービス券処理端末５、及び投票サーバ３の各装置で実行される処理について詳細に説明する。
【０１２２】
図２１Ａ及び図２１Ｂは、一実施の形態に係る投票端末において実行される処理を例示するフローチャートである。図２２乃至２７は、一実施の形態に係る投票端末に表示される画面を例示する図である。詳しくは、図２２は、アイドル画面を例示する図である。図２３は、現金投入画面を例示する図である。図２４は、投票カード投入画面を例示する図である。図２５は、サービス券未使用時の画面を例示する図である。図２６は、限度額オーバー時の画面を例示する図である。図２７は、投票終了画面を例示する図である。
【０１２３】
図２１Ａ及び図２１Ｂに例示した処理は、会員が投票券を購入する時に実行される処理である。この処理が開始されると、まずプロセッサ２３１は、図２２に例示したアイドル画面（会員カード要求画面）２５１をディスプレイ２０８に表示させる（Ｓ２７０１）。アイドル画面２５１には、会員カードの投入を会員に促すメッセージと、払戻中及び発売中のレース情報が表示される。
【０１２４】
次に、プロセッサ２３１は、会員カードが会員カード投入排出口２１０に投入されたか否かを判定する（Ｓ２７０２）。
【０１２５】
Ｓ２７０２の判定結果がＮＯの場合は、処理がＳ２７０１に戻る。
一方、Ｓ２７０２の判定結果がＹＥＳの場合、プロセッサ２３１は、図２３に例示した現金投入画面２５２をディスプレイ２０８に表示させる（Ｓ２７０３）。現金投入画面２５２には、現金又は的中投票券の投入を会員に促すメッセージと、処理の取り消しを指示するための「取消」ボタン２５３等が表示される。
【０１２６】
次に、プロセッサ２３１は、紙幣投入排出口２０５及び硬貨投入口２０６への現金の投入、又は、投票券投入排出口２０２への的中投票券の投入が行われたか否かを判定する（Ｓ２７０４）。
【０１２７】
Ｓ２７０４の判定結果がＮＯの場合、プロセッサ２３１は、「取消」ボタン２５３が選択（押下）されたか否かを判定する（Ｓ２７０５）。
【０１２８】
Ｓ２７０５の判定結果がＮＯの場合は、処理がＳ２７０３に戻る。
一方、Ｓ２７０５の判定結果がＹＥＳの場合は、処理がＳ２７０１に戻る。
【０１２９】
これに対し、Ｓ２７０４の判定結果がＹＥＳの場合、プロセッサ２３１は、投票カードの投入を顧客に促す投票カード投入画面をディスプレイ２０８に表示させる（Ｓ２７０６）。投票カード投入画面は、図２４に例示した投票カード投入画面２５４のように、投票カードの投入を会員に促すメッセージや、精算を指示するための「精算」ボタン２５５等が表示され、投票カードが投入された後は、その投票カードに基づく投票情報が更に表示される。
【０１３０】
次に、プロセッサ２３１は、「精算」ボタン２５５が選択（押下）されたか否かを判定する（Ｓ２７０７）。
【０１３１】
Ｓ２７０７の判定結果がＮＯの場合、プロセッサ２３１は、投票カードが投票カード投入排出口２０４に投入されたか否かを判定する（Ｓ２７０８）。
【０１３２】
Ｓ２７０８の判定結果がＮＯの場合は、処理がＳ２７０６に戻る。
一方、Ｓ２７０８の判定結果がＹＥＳの場合、プロセッサ２３１は、通信インタフェース２３４を介して、会員情報管理サーバ４への投票可否確認に係る電文Ａの送信、及び、それに対する会員情報管理サーバ４からの応答電文Ｂの受信を行う（Ｓ２７０９）。なお、電文Ａに含まれる投票情報は、投入された投票カードから読み取られた投票内容に基づくものである。
【０１３３】
次に、プロセッサ２３１は、受信した応答電文Ｂに含まれるサービス券状態に関する情報が「未使用」を示す情報であるか否かを判定する（Ｓ２７１０）。なお、応答電文Ｂにおいて、サービス券状態に関する情報が「未使用」を示す情報である場合は、投票券購入可否に関する情報が「不可」を示す情報になっている。
【０１３４】
Ｓ２７１０の判定結果がＹＥＳの場合、プロセッサ２３１は、投票券の購入を不可とし、投入された投票カードを投票カード投入排出口２０４に排出（返却）し（Ｓ２７１１）、図２５に例示したサービス券未使用時の画面２５６をディスプレイ２０８に表示させる（Ｓ２７１２）。画面２５６には、サービス券を使用してからの投票を会員に促すメッセージと、処理を戻す指示を行うための「戻る」ボタン２５７が表示される。
【０１３５】
次に、プロセッサ２３１は、「戻る」ボタン２５７が選択（押下）されたか否かを判定する（Ｓ２７１３）。
【０１３６】
Ｓ２７１３の判定結果がＮＯの場合は、処理がＳ２７１２に戻る。
一方、Ｓ２７１３の判定結果がＹＥＳの場合は、処理がＳ２７０６に戻る。
【０１３７】
一方、Ｓ２７１０の判定結果がＮＯの場合、プロセッサ２３１は、受信した応答電文Ｂに含まれる収支金額状態に関する情報が「限度額オーバー」を示す情報であるか否かを判定する（Ｓ２７１４）。なお、応答電文Ｂにおいて、収支金額状態に関する情報が「限度額オーバー」を示す情報である場合は、投票券購入可否に関する情報が「不可」を示す情報になっている。
【０１３８】
Ｓ２７１４の判定結果がＹＥＳの場合、プロセッサ２３１は、投票券の購入を不可とし、投入された投票カードを投票カード投入排出口２０４に排出（返却）し（Ｓ２７１５）、図２６に例示した限度額オーバー時の画面２５８をディスプレイ２０８に表示させる（Ｓ２７１６）。画面２５８には、会員の収支金額が限度額をオーバーしている旨のメッセージや、処理を戻す指示を行うための「戻る」ボタン２５９等が表示される。
【０１３９】
次に、プロセッサ２３１は、「戻る」ボタン２５９が選択（押下）されたか否かを判定する（Ｓ２７１７）。
【０１４０】
Ｓ２７１７の判定結果がＮＯの場合は、処理がＳ２７１６に戻る。
一方、Ｓ２７１７の判定結果がＹＥＳの場合は、処理がＳ２７０６に戻る。
【０１４１】
一方、Ｓ２７１４の判定結果がＮＯの場合（この場合は、応答電文Ｂにおける投票券購入可否に関する情報が「可」を示す情報になっている）、プロセッサ２３１は、投票券の購入を可とし、通信インタフェース２３４を介して、投票サーバ３への投票要求に係る電文Ｃの送信、及び、それに対する投票サーバ３からの応答電文Ｄの受信を行う（Ｓ２７１８）。ここでは、応答電文Ｄに含まれる投票可否に関する情報が「可」を示す情報であるとする。
【０１４２】
次に、プロセッサ２３１は、投入された投票カードに基づく投票内容が印刷された投票券を、投票券／サービス券発券ユニット２２５に発券させる（Ｓ２７１９）。
【０１４３】
次に、プロセッサ２３１は、通信インタフェース２３４を介して、会員情報管理サーバ４への購入情報に係る電文Ｅの送信、及び、それに対する会員情報管理サーバ４からの応答電文Ｆの受信を行う（Ｓ２７２０）。
【０１４４】
次に、プロセッサ２３１は、受信した応答電文Ｆに含まれるサービス券発券指示に関する情報が「発券する」を示す情報であるか否か、即ちサービス券の発券指示が有るか否かを判定する（Ｓ２７２１）。
【０１４５】
Ｓ２７２１の判定結果がＮＯの場合は、処理がＳ２７０６に戻る。
一方、Ｓ２７２１の判定結果がＹＥＳの場合、プロセッサ２３１は、サービス券の内容と会員の会員番号が印刷されたサービス券を、投票券／サービス券発券ユニット２２５に発券させ（Ｓ２７２２）、処理がＳ２７０６に戻る。
【０１４６】
一方、Ｓ２７０７の判定結果がＹＥＳの場合、プロセッサ２３１は、精算処理を行って、紙幣投入排出口２０５への釣札の排出や硬貨排出口２０７への釣銭の排出を行う（Ｓ２７２３）。但し、釣札や釣銭が無い場合には、Ｓ２７２３がスキップされる。
【０１４７】
次に、プロセッサ２３１は、発券された投票券及びサービス券を、投票券／サービス券排出口２０３に排出する（Ｓ２７２４）。但し、サービス券の発券が行われていない場合には、投票券のみが排出される。
【０１４８】
次に、プロセッサ２３１は、図２７に例示した投票終了画面２６０をディスプレイ２０８に一定時間表示させ（Ｓ２７２５）、その後、処理がＳ２７０１に戻る。投票終了画面２６０には、投票券、サービス券、及びお釣りの受け取りを会員に促すメッセージと、排出された投票券及びサービス券の枚数と、お釣りの金額等が表示される。
【０１４９】
図２８Ａ及び図２８Ｂは、一実施の形態に係る会員情報管理サーバにおいて実行される処理を例示するフローチャートである。
【０１５０】
この処理が開始されると、まずプロセッサ４０１は、通信インタフェース４０７を介して、投票端末２から投票可否確認に係る電文Ａを受信したか否かを判定する（Ｓ３４０１）。
【０１５１】
Ｓ３４０１の判定結果がＹＥＳの場合、プロセッサ４０１は、電文Ａに対する応答電文Ｂに含めるサービス券状態に関する情報として、記憶装置４０５に記憶された対応する会員の会員情報に含まれるサービス券状態に関する情報をセットする（Ｓ３４０２）。ここで、対応する会員は、電文Ａに含まれる会員番号の会員であり、会員Ａであるとする。
【０１５２】
次に、プロセッサ４０１は、電文Ａに含まれる情報が示す金額（投票金額）と、記憶装置４０５に記憶された会員Ａの会員情報に含まれる情報が示す収支金額とを加算して加算金額を算出する（Ｓ３４０３）。
【０１５３】
次に、プロセッサ４０１は、加算金額が、会員Ａの会員情報に含まれる情報が示す警告値以下であるか否かを判定する（Ｓ３４０４）。
【０１５４】
Ｓ３４０４の判定結果がＹＥＳの場合、プロセッサ４０１は、応答電文Ｂに含める収支金額状態に関する情報として「警告値以下」を示す情報をセットする（Ｓ３４０５）。
【０１５５】
一方、Ｓ３４０４の判定結果がＮＯの場合、プロセッサ４０１は、加算金額が、会員Ａの会員情報に含まれる情報が示す限度額以下であるか否かを判定する（Ｓ３４０６）。
【０１５６】
Ｓ３４０６の判定結果がＹＥＳの場合、プロセッサ４０１は、応答電文Ｂに含める収支金額状態に関する情報として「警告値オーバー」を示す情報をセットする（Ｓ３４０７）。
【０１５７】
一方、Ｓ３４０６の判定結果がＮＯの場合、プロセッサ４０１は、応答電文Ｂに含める収支金額状態に関する情報として「限度額オーバー」を示す情報をセットする（Ｓ３４０８）。
【０１５８】
次に、プロセッサ４０１は、応答電文Ｂに含める情報としてセットしたサービス券状態が「未使用」、又は、応答電文Ｂに含める情報としてセットした収支金額状態が「限度額オーバー」であるか否かを判定する（Ｓ３４０９）。
【０１５９】
Ｓ３４０９の判定結果がＹＥＳの場合、プロセッサ４０１は、応答電文Ｂに含める投票券購入可否に関する情報として「不可」を示す情報をセットする（Ｓ３４１０）。
【０１６０】
一方、Ｓ３４０９の判定結果がＮＯの場合、プロセッサ４０１は、応答電文Ｂに含める投票券購入可否に関する情報として「可」を示す情報をセットする（Ｓ３４１１）。
【０１６１】
次に、プロセッサ４０１は、セットされた情報を含む応答電文Ｂを、通信インタフェース４０７を介して投票端末２に送信する（Ｓ３４１２）。
【０１６２】
Ｓ３４１２の後、又は、Ｓ３４０１の判定結果がＮＯの場合、プロセッサ４０１は、通信インタフェース４０７を介して、投票端末２から投票券の購入情報に係る電文Ｅを受信したか否かを判定する（Ｓ３４１３）。
【０１６３】
Ｓ３４１３の判定結果がＹＥＳの場合、プロセッサ４０１は、電文Ｅに含まれる情報が示す金額（購入金額）を、記憶装置４０５に記憶された対応する会員の会員情報に含まれる情報が示す収支金額に加算して、その会員の収支金額に関する情報を更新する（Ｓ３４１４）。ここで、対応する会員は、電文Ｅに含まれる会員番号の会員であり、会員Ａであるとする。また、Ｓ３４１４では、更に、電文Ｅに含まれる情報が、記憶装置４０５に記憶された会員Ａの購入履歴情報に追加され、会員Ａの購入履歴情報の更新も行われる。
【０１６４】
次に、プロセッサ４０１は、記憶装置４０５に記憶された会員Ａの会員情報に含まれる情報が示すサービス券状態が「未発券」、且つ、その会員情報に含まれる情報が示す収支金額状態が「警告値オーバー」であるか否かを判定する（Ｓ３４１５）。
【０１６５】
Ｓ３４１５の判定結果がＹＥＳの場合、プロセッサ４０１は、電文Ｅに対する応答電文Ｆに含めるサービス券発券指示に関する情報として「発券する」を示す情報をセットし（Ｓ３４１６）、記憶装置４０５に記憶された会員Ａの会員情報に含まれるサービス券状態に関する情報を「未使用」を示す情報にして会員Ａの会員情報を更新する（Ｓ３４１７）。
【０１６６】
一方、Ｓ３４１５の判定結果がＮＯの場合、プロセッサ４０１は、応答電文Ｆに含めるサービス券発券指示に関する情報として「発券しない」を示す情報をセットする（Ｓ３４１８）。
【０１６７】
次に、プロセッサ４０１は、セットされた情報を含む応答電文Ｆを、通信インタフェース４０７を介して投票端末２に送信する（Ｓ３４１９）。
【０１６８】
Ｓ３４１９の後、又は、Ｓ３４１３の判定結果がＮＯの場合、プロセッサ４０１は、通信インタフェース４０７を介して、投票サーバ３からレース確定に係る電文Ｇを受信したか否かを判定する（Ｓ３４２０）。
【０１６９】
Ｓ３４２０の判定結果がＹＥＳの場合、プロセッサ４０１は、電文Ｇに含まれるレース確定情報から、関係会員（確定したレースに投票した会員）の払戻金額を算出し、記憶装置４０５に記憶された関係会員の購入履歴情報に追加して、記憶装置４０５に記憶された関係会員の購入履歴情報を更新する（Ｓ３４２１）。
【０１７０】
次に、プロセッサ４０１は、記憶装置４０５に記憶された関係会員の購入履歴情報から、関係会員の過去所定期間分の収支金額を算出し、記憶装置４０５に記憶された関係会員の会員情報に含まれる情報が示す収支金額を、算出した収支金額に置き換えて、関係会員の会員情報を更新する（Ｓ３４２２）。
【０１７１】
ここでは、Ｓ３４２１及びＳ３４２２の処理が正常に行われたとする。
次に、プロセッサ４０１は、電文Ｇに対する応答電文Ｈに含める処理結果に関する情報として「正常」を示す情報をセットして、その応答電文Ｈを、通信インタフェース４０７を介して、投票サーバ３に送信する（Ｓ３４２３）。
【０１７２】
Ｓ３４２３の後、又は、Ｓ３４２０の判定結果がＮＯの場合、プロセッサ４０１は、通信インタフェース４０７を介して、サービス券処理端末５からサービス券使用通知に係る電文Ｉを受信したか否かを判定する（Ｓ３４２４）。
【０１７３】
Ｓ３４２４の判定結果がＹＥＳの場合、プロセッサ４０１は、記憶装置４０５に記憶された対応する会員の会員情報に含まれるサービス券状態に関する情報を、「使用済」を示す情報にして、その会員の会員情報を更新する（Ｓ３４２５）。ここで、対応する会員は、電文Ｉに含まれる会員番号の会員である。
【０１７４】
ここでは、Ｓ３４２５の処理が正常に行われたとする。
次に、プロセッサ４０１は、電文Ｉに対する応答電文Ｊに含める処理結果に関する情報として「正常」を示す情報をセットして、その応答電文Ｊを、通信インタフェース４０７を介して、サービス券処理端末５に送信する（Ｓ３４２６）。
Ｓ３４２６の後は、処理がＳ３４０１に戻る。
【０１７５】
図２９は、一実施の形態に係るサービス券処理端末において実行される処理を例示するフローチャートである。
この処理が開始されると、まずプロセッサ５１１は、サービス券読取ユニット５０３によるサービス券の読み取りが有るか否かを判定する（Ｓ３５０１）。
Ｓ３５０１の判定結果がＮＯの場合は、本判定を繰り返す。
【０１７６】
一方、Ｓ３５０１の判定結果がＹＥＳの場合、プロセッサ５１１は、サービス券から読み取られた会員番号を取得し（Ｓ３５０２）、その会員番号を、電文Ｉに含める会員番号としてセットし、会員情報管理サーバ４に送信する（Ｓ３５０３）。
Ｓ３５０３の後は、処理がＳ３５０１に戻る。
【０１７７】
図３０は、一実施の形態に係る投票サーバにおいて実行される処理を例示するフローチャートである。
この処理が開始されると、まず投票サーバ３は、投票端末２から投票要求に係る電文Ｃを受信したか否かを判定する（Ｓ３６０１）。
Ｓ３６０１の判定結果がＮＯの場合は、本判定を繰り返す。
【０１７８】
一方、Ｓ３６０１の判定結果がＹＥＳの場合、投票サーバ３は、電文Ｃに含まれる投票情報を集計してオッズの計算等を行うと共に、対応する会員の投票可否判定を行う（Ｓ３６０２）。対応する会員は、電文Ｃに含まれる会員番号の会員である。
【０１７９】
ここでは、対応する会員の投票可否判定が「可」であるとする。
次に、投票サーバ３は、電文Ｃに対する応答電文Ｄに含める投票可否に関する情報として「可」を示す情報をセットし、電文Ｃの送信元である投票端末２に送信する（Ｓ３６０３）。
Ｓ３６０３の後は、処理がＳ３６０１に戻る。
【０１８０】
以上に説明した、投票システム１において実行される処理によれば、会員が投票券を購入した時や、会員が購入した投票券に係るレースが確定した時に、会員の収支金額が更新される。ここで、収支金額は、過去所定期間分の投票券購入金額の合計金額から、過去所定期間分の払戻金額の合計金額を減算した金額である。
【０１８１】
また、会員が投票券を購入する時に、会員の収支金額が警告設定値を超えた場合には、サービス券が発券され、以後、そのサービス券を使用するまで会員は投票券の購入ができなくなる。また、会員が投票券を購入する時に、会員の収支金額が限度額設定値を超えることになる場合には、投票券の購入ができなくなる。
【０１８２】
図３１は、会員の収支金額に応じて投票券の購入が制限されるケースを例示する図である。
図３１に例示したケースでは、会員の３回目の投票券購入時に、収支金額が警告設定値を超えたためにサービス券が発券されている。そして、会員がサービス券を使用した後、５回目の投票券購入時には、収支金額が限度額設定値を超えることになったために投票（投票券の購入）が不可とされている。
【０１８３】
以上のように、投票システム１によれば、会員の収支金額に基づいて投票券の購入を制限することにより、購入し過ぎによるギャンブル依存症の発症を防止することができる。
【０１８４】
なお、上述の投票システム１は、次のような変形が可能である。
例えば、サービス券処理端末５は、公営競技場内のサービス提供店舗に限らず、公営競技場外のサービス提供店舗に設けられてもよい。
【０１８５】
また、上述の投票システム１では、会員の過去所定期間分の収支金額に基づいて投票券の購入が制限されていたが、例えば、会員の過去所定期間分の投票券購入金額の合計金額に基づいて投票券の購入が制限されてもよい。この場合は、投票券購入金額の合計金額が警告設置値を超えた場合にサービス券が発券され、以後、サービス券が使用されるまでは投票券の購入が不可とされる。また、投票券購入金額の合計金額が限度額設定値を超えることになる場合には、投票券の購入が不可とされる。
【０１８６】
以上、本発明の実施の形態を説明したが、本発明は、上述した実施の形態に限定されることなく、本発明の要旨を逸脱しない範囲内で種々の改良・変更が可能である。
【符号の説明】
【０１８７】
１                投票システム
２                投票端末
３                投票サーバ
４                会員情報管理サーバ
５                サービス券処理端末
６                ネットワーク
２０１            運用状況表示窓
２０２            投票券投入排出口
２０３            投票券／サービス券排出口
２０４            投票カード投入排出口
２０５            紙幣投入排出口
２０６            硬貨投入口
２０７            硬貨排出口
２０８            ディスプレイ
２０９            タッチパネル
２１０            会員カード投入排出口
２２１            制御部
２２２            紙幣処理ユニット
２２３            硬貨処理ユニット
２２４            投票カード読取ユニット
２２５            投票券／サービス券発券ユニット
２２６            払戻投票券読取ユニット
２２７            会員カード読取ユニット
２３１            プロセッサ
２３２            ＲＡＭ
２３３            記憶装置
２３４            通信インタフェース
２３５            グラフィック処理部
２３６            入出力インタフェース
２３７            バス
２４１            制御部
２４２            会員識別情報取得部
２４３            投票情報取得部
２４４            通信部
２４５            発券部
２５１            アイドル画面
２５２            現金投入画面
２５３            ボタン
２５４            投票カード投入画面
２５５            ボタン
２５６            画面
２５７            ボタン
２５８            画面
２５９            ボタン
２６０            投票終了画面
４０１            プロセッサ
４０２            メモリ
４０３            入力装置
４０４            出力装置
４０５            記憶装置
４０６            可搬記録媒体駆動装置
４０７            通信インタフェース
４０８            可搬記録媒体
４０９            バス
４１１            制御部
４１２            会員情報記憶部
４１３            通信部
４１４            更新部
４１５            第１の判定部
４１６            第２の判定部
５０１            制御部
５０２            入出力デバイス
５０３            サービス券読取ユニット
５１１            プロセッサ
５１２            ＲＡＭ
５１３            記憶装置
５１４            通信インタフェース
５１５            入出力インタフェース
５１６            バス
５２１            制御部
５２２            会員識別情報取得部
５２３            通信部
【図１】
2020135454.tif 000003
【図２】
2020135454.tif 000004
【図３】
2020135454.tif 000005
【図４】
2020135454.tif 000006
【図５】
2020135454.tif 000007
【図６】
2020135454.tif 000008
【図７】
2020135454.tif 000009
【図８】
2020135454.tif 000010
【図９】
2020135454.tif 000011
【図１０】
2020135454.tif 000012
【図１１】
2020135454.tif 000013
【図１２】
2020135454.tif 000014
【図１３】
2020135454.tif 000015
【図１４】
2020135454.tif 000016
【図１５】
2020135454.tif 000017
【図１６】
2020135454.tif 000018
【図１７】
2020135454.tif 000019
【図１８】
2020135454.tif 000020
【図１９】
2020135454.tif 000021
【図２０】
2020135454.tif 000022
【図２１Ａ】
2020135454.tif 000023
【図２１Ｂ】
2020135454.tif 000024
【図２２】
2020135454.tif 000025
【図２３】
2020135454.tif 000026
【図２４】
2020135454.tif 000027
【図２５】
2020135454.tif 000028
【図２６】
2020135454.tif 000029
【図２７】
2020135454.tif 000030
【図２８Ａ】
2020135454.tif 000031
【図２８Ｂ】
2020135454.tif 000032
【図２９】
2020135454.tif 000033
【図３０】
2020135454.tif 000034
【図３１】
2020135454.tif 000035